(57)【要約】      （修正有）【課題】ケースに対する第１操作部材の設置位置および操作方向をケースの形状や大きさに応じて自由に設定することができる押釦装置およびそれを備えた時計を提供する。【解決手段】第１の腕時計ケース１、第２の腕時計ケースに設けられて第１軸線８ａに沿ってスライドする第１操作部材８と、第１の腕時計ケース１、第２の腕時計ケースの内部に設けられ、第１操作部材８の第１軸線８ａに対して不一致状態の第２軸線９ａに沿って、第１操作部材８と連動してスライドする第２操作部材９と、を備えている。従って、第１操作部材８の第１軸線８ａと第２操作部材９の第２軸線９ａとをずらすことができるので、時計モジュール３の共通化を図っても、第１の腕時計ケース１、第２の腕時計ケースに対する第１操作部材８の設置位置および操作方向を第１の腕時計ケース１、第２の腕時計ケースの形状や大きさに応じて自由に設定することができる。【選択図】図２
2016176841.tif 000002
【特許請求の範囲】
【請求項１】
ケースと、
前記ケースに設けられ、第１軸線に沿ってスライドする第１操作部材と、
前記ケースの内部に設けられ、前記第１操作部材の前記第１軸線に対して不一致状態の第２軸線に沿って、前記第１操作部材と連動してスライドする第２操作部材と、
を備えていることを特徴とする押釦装置。
【請求項２】
請求項１に記載の押釦装置において、前記第１操作部材は、前記第１軸線が前記第２操作部材の前記第２軸線に対して直交する方向にずれていることを特徴とする押釦装置。
【請求項３】
請求項１に記載の押釦装置において、前記第１操作部材は、前記第１軸線が前記第２操作部材の前記第２軸線に対して交差する方向に傾いていることを特徴とする押釦装置。
【請求項４】
請求項１〜請求項３のいずれかに記載の押釦装置において、前記ケース内に配置され、前記第２操作部材をスライド可能に保持するガイド保持部材を備えていることを特徴とする押釦装置。
【請求項５】
請求項４に記載の押釦装置において、前記ケースの形状および大きさに応じてモジュールを前記ケース内に収納し、かつ前記ガイド保持部材が取り付けられる枠状部材を備えていることを特徴とする押釦装置。
【請求項６】
請求項１〜請求項５のいずれかに記載の押釦装置において、前記第２操作部材のスライド動作に応じてスイッチ動作するスイッチ部を備えていることを特徴とする押釦装置。
【請求項７】
請求項１〜請求項６のいずれかに記載の押釦装置において、前記第２操作部材を前記ケースの外部に向けて付勢する付勢部材を備えていることを特徴とする押釦装置。
【請求項８】
請求項１〜請求項７のいずれかに記載された押釦装置を備えていることを特徴とする時計。
【発明の詳細な説明】
【技術分野】
【０００１】
この発明は、時計、携帯電話機、携帯情報端末機などの電子機器に用いられる押釦装置およびそれを備えた時計に関する。
【背景技術】
【０００２】
例えば、腕時計においては、特許文献１に記載されているように、腕時計ケースの形状や大きさを変えて多種類のバリエーションの商品化を図る際に、腕時計ケース内に組み込まれる時計モジュールを共通化するように構成されたものが知られている。
【先行技術文献】
【特許文献】
【０００３】
【特許文献１】実開昭６４−１９１９３号公報
【０００４】
このような腕時計の押釦装置は、腕時計ケースに第１操作部材をスライド可能に設け、腕時計ケース内に時計モジュールを組み込むための中枠に第２操作部材をスライド可能に設け、第１操作部材を押圧操作した際に、第１操作部材が第２操作部材を押圧し、この押圧された第２操作部材によって腕時計ケース内に配置された時計モジュールのスイッチ部を動作させることにより、時計モジュールを共通化するように構成されている。
【発明の概要】
【発明が解決しようとする課題】
【０００５】
しかしながら、このような押釦装置では、時計モジュールにスイッチ部が設けられているため、時計モジュールの共通化によってスイッチ部が所定位置に設置されてしまうと共に、第１操作部材と第２操作部材との各軸線が同一軸上に設定されているため、腕時計ケースに対する第１操作部材の設定位置が制約を受け、第１操作部材の設定位置および操作方向を腕時計ケースの形状や大きさに応じて自由に設定することができないという問題がある。
【０００６】
この発明が解決しようとする課題は、ケースに対する第１操作部材の設置位置および操作方向をケースの形状や大きさに応じて自由に設定することができる押釦装置およびそれを備えた時計を提供することである。
【課題を解決するための手段】
【０００７】
この発明は、ケースと、このケースに設けられ、第１軸線に沿ってスライドする第１操作部材と、前記ケースの内部に設けられ、前記第１操作部材の前記第１軸線に対して不一致状態の第２軸線に沿って、前記第１操作部材と連動してスライドする第２操作部材と、を備えていることを特徴とする押釦装置である。
【発明の効果】
【０００８】
この発明によれば、第１操作部材の第１軸線と第２操作部材の第２軸線とをずらすことができるので、時計モジュールの共通化を図っても、ケースに対する第１操作部材の設置位置および操作方向をケースの形状や大きさに応じて自由に設定することができる。
【図面の簡単な説明】
【０００９】
【図１】この発明を腕時計に適用した第１実施形態において、押釦スイッチに対応する箇所を破断して示した拡大正面図である。
【図２】図１に示された腕時計における押釦スイッチの箇所を示した要部の拡大断面図である。
【図３】図２に示された押釦スイッチを分解して示した要部の拡大斜視図である。
【図４】図３に示された押釦スイッチが分解された状態における要部の拡大断面図である。
【図５】図１に示された第１の腕時計ケースに替えて第２の腕時計ケースに押釦スイッチを組み込んだ状態において、押釦スイッチに対応する箇所を破断して示した拡大正面図である。
【図６】図２に示された押釦スイッチの変形例を示した要部の拡大断面図である。
【図７】この発明を腕時計に適用した第２実施形態における押釦スイッチの要部を示した拡大断面図である。
【発明を実施するための形態】
【００１０】
（第１実施形態）
以下、図１〜図５を参照して、この発明を腕時計に適用した第１実施形態について説明する。
この腕時計には、図１および図５に示すように、形状が異なる複数種類の腕時計ケース１、２０がある。これら複数種類のうち、第１の腕時計ケース１は、図１に示すように四角形状に形成されている。また、第２の腕時計ケース２０は、図５に示すように、円形状に形成されている。これら第１、第２の腕時計ケース１、２０のうち、まず、第１の腕時計ケース１について説明する。
【００１１】
この第１の腕時計ケース１は、図１に示すように、四角形の枠状に形成されている。この第１の腕時計ケース１の上部開口部には、時計ガラス２がパッキン２ａを介して設けられており、この第１の腕時計ケース１の下部には、裏蓋（図示せず）が取り付けられている。この第１の腕時計ケース１の内部には、図１および図２に示すように、時計モジュール３が中枠４によって設けられている。
【００１２】
この時計モジュール３は、図１および図２に示すように、全体がほぼ円形状に形成されている。この時計モジュール３は、図示ないが、指針を駆動させて時刻を指示する時計ムーブメント、時刻などの情報を電気光学的に表示する表示部、これらを駆動するための回路基板など、時計機能に必要な各種の部品を備えている。
【００１３】
この場合、中枠４は、図１および図２に示すように、その外形が第１の腕時計ケース１の内形と同じ大きさの四角形状に形成され、中枠４の内形が時計モジュール３の外形と同じ大きさの円形状に形成されている。これにより、中枠４は、その内部に時計モジュール３が密接した状態で収納され、この状態で第１の腕時計ケース１内に密接した状態で配置されるように構成されている。
【００１４】
また、この第１の腕時計ケース１の１２時側と６時側との各側部には、図１に示すように、時計バンド（図示せず）が取り付けられるバンド取付部５が設けられている。さらに、この第１の腕時計ケース１の３時側に位置する側部には、竜頭などのスイッチ装置６が設けられており、この第１の腕時計ケース１の４時側に位置する側部には、押釦スイッチ７が設けられている。
【００１５】
この押釦スイッチ７は、図１〜図４に示すように、第１の腕時計ケース１に対してスライド可能に設けられた第１操作部材８と、第１の腕時計ケース１内にスライド可能に設けられて第１操作部材８と連動する第２操作部材９と、を備えている。この場合、第１の腕時計ケース１には、貫通孔１０が設けられている。
【００１６】
この貫通孔１０は、図１〜図４に示すように、その軸線が第１の腕時計ケース１の中心に向けて放射方向に傾斜した状態で、第１の腕時計ケース１の側部に、その内部と外部とに貫通して設けられている。この場合、第１の腕時計ケース１の外部側に位置する貫通孔１０の外端部には、その貫通孔１０の内径よりも大きい大径の座ぐり部１０ａが設けられている。
【００１７】
また、この第１の腕時計ケース１の貫通孔１０内には、図１〜図４示すように、筒状部材１１が嵌め込まれている。この筒状部材１１は、円筒形状に形成され、第１の腕時計ケース１の外部側に位置する外端部に鍔部１１ａが設けられた構成になっている。この場合、筒状部材１１は、その外径が貫通孔１０の内径と同じ大きさに形成され、鍔部１１ａの外径が貫通孔１０の座ぐり部１０ａの内径と同じ大きさに形成されている。
【００１８】
また、この筒状部材１１は、図１および図２示すように、その軸方向の長さが貫通孔１０における座ぐり部１０ａを除く、貫通孔１０の内周面における最も長い長さで形成されている。これにより、筒状部材１１は、第１の腕時計ケース１の貫通孔１０にその外部側から挿入されて鍔部１１ａが貫通孔１０の座ぐり部１０ａに配置された際に、第１の腕時計ケース１の内部側に位置する筒状部材１１の内端部が第１の腕時計ケース１内に突出した状態で、貫通孔１０内に嵌着されて固定されるように構成されている。
【００１９】
この場合、筒状部材１１は、図１および図２示すように、第１の腕時計ケース１の貫通孔１０に挿入された際に、その内端部のうち、一部（図２では上部）が、第１の腕時計ケース１の内周面とほぼ同じ位置で、これと反対側に位置する他の一部（図２では下部）が貫通孔１０の傾きに応じて第１の腕時計ケース１の内部に突出することにより、最小限の突出量で、筒状部材１１の内端部が第１の腕時計ケース１内に突出するように構成されている。
【００２０】
第１操作部材８は、図１〜図４に示すように、筒状部材１１内にスライド可能に配置される丸棒状に形成されている。この第１操作部材８は、その外径が筒状部材１１の内径とほぼ同じ大きさで、軸方向の長さが筒状部材１１の軸方向の長さよりも少し長く形成されている。この場合、第１操作部材８は、その中心軸である第１軸線８ａが円筒部材１１の軸線と一致するように構成されている。
【００２１】
また、この第１操作部材８は、図１〜図４に示すように、第１の腕時計ケース１の内部側に位置する内端部に取付溝１２が環状に設けられ、この取付溝１２にＥリングなどの第１抜止め部材１３が取り付けられるように構成されている。この場合、第１操作部材８の内端部は、第１の腕時計ケース１内に向けて円弧状に突出する第１円弧部８ｂに形成されている。
【００２２】
これにより、第１操作部材８は、図１〜図４に示すように、その内端部が筒状部材１１の内端部から第１の腕時計ケース１内に突出した状態で、取付溝１２に抜止め部材１３が取り付けられ、この抜止め部材１３が筒状部材１１の内端部に接離可能に当接することにより、筒状部材１１内から第１の腕時計ケース１の外部に抜け出さないように構成されている。
【００２３】
さらに、この第１操作部材８の外周面には、図１〜図４に示すように、複数の防水リング１４がそれぞれ環状に取り付けられている。これら複数の防水リング１４は、第１操作部材８が筒状部材１１内をスライドする際に、第１操作部材８と共に移動し、かつその各外周面が筒状部材１１の内周面に弾接した状態で摺動することにより、第１操作部材８の外周面と筒状部材１１の内周面との間の防水を図るように構成されている。
【００２４】
一方、第２操作部材９は、図１〜図４に示すように、第１の腕時計ケース１内の中枠４に設けられたガイド保持部材１５にスライド可能に取り付けられている。この場合、ガイド保持部材１５は、厚みの厚い板状に形成され、中枠４に設けられた装着部４ａにその下側から着脱可能に取り付けられるように構成されている。このガイド保持部材１５は、第１操作部材８の内端部と時計モジュール３の外周との間に、第１操作部材８の第１軸線８ａに対して直交する方向に沿って配置されている。
【００２５】
また、このガイド保持部材１５には、図１〜図４に示すように、第１操作部材８の内端部に対して不一致状態で、軸取付孔１５ａがガイド保持部材１５の厚み方向に貫通して設けられている。すなわち、この軸取付孔１５ａは、その中心軸１５ｂが第１操作部材８の第１軸線８ａと平行な状態で、第１操作部材８の第１軸線８ａに対して直交する方向にずれた状態で設けられている。
【００２６】
第２操作部材９は、図１〜図４に示すように、ガイド保持部材１５の軸取付孔１５ａにスライド可能に挿入する丸棒状に形成されている。すなわち、この第２操作部材９は、その外径がガイド保持部材１５の軸取付孔１５ａの内径と同じ大きさに形成され、その軸方向の長さがガイド保持部材１５の厚みよりも長く形成されている。
【００２７】
これにより、第２操作部材９は、図１および図２に示すように、ガイド保持部材１５の軸取付孔１５ａに挿入された際に、第１の腕時計ケース１側に位置する外端部が第１操作部材８に向けて突出し、時計モジュール３側の内端部が時計モジュール３の外周面に向けて突出するように構成されている。この場合、第２操作部材９の外端部は、円形状の平面に形成され、この外端部の平面に第１操作部材８の内端部である第１円弧部８ｂが当接するように構成されている。
【００２８】
また、第２操作部材９の内端部には、図１〜図４に示すように、第２抜止め部１６がリング状に設けられている。この第２抜止め部１６は、その外径が第２操作部材９の外径よりも大きく形成されている。これにより、第２操作部材９は、時計モジュール３側からガイド保持部材１５の軸取付孔１５ａに挿入された際に、第２抜止め部１６が軸取付孔１５ａの縁部に接離可能に当接することにより、第１の腕時計ケース１の外部側に抜け出さないように構成されている。
【００２９】
また、この第２操作部材９の内端部は、図１〜図４に示すように、円弧状に突出する第２円弧部９ｂに形成されている。これにより、第２操作部材９は、ガイド保持部材１５の軸取付孔１５ａの中心軸１５ｂが、第１操作部材８の第１軸線８ａと平行な状態で、第１操作部材８の第１軸線８ａに対して直交する方向にずれていることにより、第２操作部材９の第２軸線９ａが第１操作部材８の第１軸線８ａに対して不一致状態で配置されるように構成されている。
【００３０】
すなわち、この第２操作部材９は、図１〜図４に示すように、その第２軸線９ａがガイド保持部材１５の軸取付孔１５ａの中心軸１５ｂと一致していても、第１操作部材８の第１軸線８ａと平行な状態で、第１操作部材８の第１軸線８ａに対して直交する方向にずれた状態で、ガイド保持部材１５の軸取付孔１５ａにスライド可能に取り付けられている。  
【００３１】
言い換えれば、第１操作部材８は、図１〜図４に示すように、その第１軸線８ａが第２操作部材９の第２軸線９ａと平行な状態で、第２操作部材９の第２軸線９ａに対して直交する方向にずれた状態で、配置されている。これにより、第２操作部材９は、その第２軸線９ａが位置する外端部の平面の中心軸に対して、第１操作部材８の第１円弧部８ｂがずれた位置で当接し、この状態で第１操作部材８の押圧操作に連動して第２軸線９ａに沿ってスライドするように構成されている。
【００３２】
ところで、時計モジュール３には、図１および図２に示すように、スイッチ接点部１７が第２操作部材９の内端部に設けられた第２円弧部９ｂに対応して設けられている。このスイッチ接点部１７は、時計モジュール３の回路基板（図示せず）に設けられた固定接点部１８と、この固定接点部１８に接離可能に接触する可動接点部である板ばね部１９と、を備えている。
【００３３】
この場合、板ばね部１９は、図２に示すように、第２操作部材９の第２円弧部９ｂに弾接し、この状態で第２操作部材９を第１の腕時計ケース１の外部に向けて付勢することにより、時計モジュール３の固定接点部１８から第２操作部材９を押し離すように構成されている。これにより、第２操作部材９は、板ばね部１９のばね力によって第１の腕時計ケース１の外部に向けて押し出され、第２操作部材９の第２抜止め部１６がガイド保持部材１５に弾力的に押し付けられるように構成されている。
【００３４】
また、この板ばね部１９は、図２に示すように、そのばね力に抗して第２操作部材９が第１操作部材８によって押された際に、第２操作部材９の内端部の第２円弧部９ｂによって押されて時計モジュール３の固定接点部１８に接触するように構成されている。これにより、スイッチ接点部１７は、第１操作部材８が押されて第２操作部材９の内端部の第２円弧部９ｂが板ばね部１９をそのばね力に抗して押した際に、時計モジュール３の固定接点部１８に接触することにより、スイッチ動作するように構成されている。
【００３５】
一方、この押釦スイッチ７は、図５に示すように、第２の腕時計ケース２０にも、第１の腕時計ケース１とほぼ同様に組み込まれるように構成されている。すなわち、この第２の腕時計ケース２０は、図１に示された四角形状の第１の腕時計ケース１に内接する大きさの円形状に形成されている。この第２の腕時計ケース２０は、その内径が時計モジュール３の外周よりも大きい円形状に形成されている。
【００３６】
このため、時計モジュール３は、図５に示すように、円形状の中枠２１を介して第２の腕時計ケース２０の内部に組み込まれるように構成されている。この中枠２１は、その外形が第２の腕時計ケース２０の内形と同じ大きさの円形状に形成され、中枠２１の内形が時計モジュール３の外形と同じ大きさの円形状に形成されている。これにより、中枠２１は、その内部に時計モジュール３が密接した状態で収納され、この状態で第２の腕時計ケース２０内に密接した状態で配置されるように構成されている。
【００３７】
この場合にも、第２の腕時計ケース２０には、図５に示すように、貫通孔１０が第２の腕時計ケース２０の中心に向けて放射方向に沿って形成されている。この貫通孔１０には筒状部材１１が設けられており、この筒状部材１１には第１操作部材８がスライド可能に設けられている。また、中枠２１には、第１操作部材８に対応するガイド保持部材１５が着脱可能に取り付けられている。このガイド保持部材１５の軸取付孔１５ａには、第２操作部材９がスライド可能に取り付けられている。
【００３８】
この場合にも、第２操作部材９は、図５に示すように、その第２軸線９ａがガイド保持部材１５の軸取付孔１５ａの中心軸１５ｂと一致していても、第１操作部材８の第１軸線８ａと平行な状態で、第１操作部材８の第１軸線８ａに対して直交する方向にずれた状態で、ガイド保持部材１５の軸取付孔１５ａにスライド可能に取り付けられている。
【００３９】
言い換えれば、第１操作部材８は、図５に示すように、その第１軸線８ａが第２操作部材９の第２軸線９ａと平行な状態で、第２操作部材９の第２軸線９ａに対して直交する方向にずれた状態で、配置されている。このため、第２操作部材９は、図５に示すように、その第２軸線９ａが位置する外端部の平面の中心軸に対して、第１操作部材８の第１円弧部８ｂがずれた位置で当接し、この状態で第１操作部材８の押圧操作に連動して第２軸線９ａに沿ってスライドするように構成されている。
【００４０】
次に、このような腕時計の押釦スイッチ７の作用について説明する。
この押釦スイッチ７を第１の腕時計ケース１に組み付ける場合には、予め、第１の腕時計ケース１に第１操作部材８を取り付ける。このときには、まず、第１の腕時計ケース１の貫通孔１０に筒状部材１１を嵌め込んで、筒状部材１１の外端部の鍔部１１ａを貫通孔１０の座ぐり部１０ａに配置させ、筒状部材１１の内端部を第１の腕時計ケース１内に最小限の突出量で突出させる。
【００４１】
これにより、筒状部材１１が腕時計ケースの貫通孔１０に嵌め込まれて固定される。この固定された筒状部材１１に第１操作部材８を第１の腕時計ケース１の外部側から挿入させて、第１操作部材８の内端部を第１の腕時計ケース１内に最小限の突出量で突出させる。この状態で、第１の腕時計ケース１内に突出した第１操作部材８の内端部に設けられた取付溝１２に第１抜止め部材１３を取り付ける。
【００４２】
そして、第１操作部材８が取り付けられた第１の腕時計ケース１内に時計モジュール３を取り付ける。この場合には、時計モジュール３を中枠４に取り付け、この時計モジュール３を中枠４と共に第１の腕時計ケース１内にその下側から挿入して組み込む。このときには、第１操作部材８の内端部が第１の腕時計ケース１内に大きく突出せず、最小限の突出量で突出しているため、時計モジュール３および中枠４を容易に組み込むことができると共に、時計ガラス２を通して見える文字板や見切り部材（いずれも図示せず）を良好に組み込むことができる。
【００４３】
この状態で、中枠４にガイド保持部材１５を取り付ける。この場合には、予め、ガイド保持部材１５の軸取付孔１５ａに第２操作部材９を取り付ける。このときには、第２操作部材９の外端部をガイド保持部材１５の軸取付孔１５ａに時計モジュール３側から挿入させて、第２操作部材９の内端部の第２抜止め部１６をガイド保持部材１５の軸取付孔１５ａの縁部に当接させる。
【００４４】
この状態で、ガイド保持部材１５を中枠４に取り付けて、第２操作部材９の内端部に設けられた第２円弧部９ｂを時計モジュール３の外周部に設けられたスイッチ接点部１７の板ばね部１９に弾接させると共に、第２操作部材９の外端部にその中心軸からずれた状態で第１操作部材８の内端部の第１円弧部８ｂを当接させる。
【００４５】
このため、第２操作部材９は、その第２軸線９ａが第１操作部材８の第１軸線８ａと平行な状態で、かつ第１操作部材８の第１軸線８ａに対して直交する方向にずれた状態で配置されている。言い換えれば、第１操作部材８は、その第１軸線８ａが第２操作部材９の第２軸線９ａと平行な状態で、第２操作部材９の第２軸線９ａに対して直交する方向にずれた状態で、配置されている。
【００４６】
この場合、ガイド保持部材１５および第２操作部材９は、時計モジュール３を中枠４によって第１の腕時計ケース１に組み込んだ後に、中枠４に取り付ける必要はなく、時計モジュール３を中枠４によって第１の腕時計ケース１に組み込む前に、予め、ガイド保持部材１５および第２操作部材９を中枠４に取り付け、この状態で第１の腕時計ケース１に時計モジュール３を中枠４によって組み込む際に、中枠４と同時にガイド保持部材１５および第２操作部材９を組み込んでも良い。これにより、押釦スイッチ７が腕時計に組み付けられる。
【００４７】
次に、このような押釦スイッチ７の動作について説明する。
この押釦スイッチ７は、通常状態のときに、時計モジュール３の外周に位置するスイッチ接点部１７の板ばね部１９のばね力によって、第２操作部材９の内端部の第２円弧部９ｂが第１の腕時計ケース１の外部に向けて押し出され、第２操作部材９の第２抜止め部１６がガイド保持部材１５に当接する。
【００４８】
このときには、第２操作部材９の外端部に第１操作部材８の内端部の第１円弧部８ｂが当接していることにより、第１操作部材８が第２操作部材９に連動して第１の腕時計ケース１の外部に向けて押し出される。この場合には、第１操作部材８の内端部に取り付けられた第１抜止め部１３が円筒部材１１の内端部に当接し、第１操作部材８が筒状部材１１から外部に抜け出すことがなく、第１操作部材８の外端部が筒状部材１１の外端部から貫通孔１０の座ぐり部１０ａ内に露出する。
【００４９】
また、この押釦スイッチ７を操作する場合には、第１の腕時計ケース１の貫通孔１０の外端部に設けられた座ぐり部１０ａ内に露呈している第１操作部材８の外端部を第１の腕時計ケース１内に向けて押し込む。このときには、スイッチ接点部１７の板ばね部１９のばね力に抗して、第１操作部材８の外端部を押す。すると、第１操作部材８が貫通孔１０内において第１軸線８ａに沿ってスライドし、この第１操作部材８の内端部の第１円弧部８ｂが第２操作部材９の外端部を押圧する。
【００５０】
このときには、第２操作部材９の第２軸線９ａが第１操作部材８の第１軸線８ａと平行な状態で、第１操作部材８の第１軸線８ａに対して直交する方向にずれた状態で、第２操作部材９が配置される。このため、第１操作部材８の第１円弧部８ｂは、第２操作部材９の外端部にその中心軸からずれた位置を押圧する。これにより、第２操作部材９は、第１操作部材８に連動してガイド保持部材１５の軸取付孔１５ａ内において第２軸線９ａに沿ってスライドする。
【００５１】
このため、第２操作部材９は、その内端部の第２円弧部９ｂがスイッチ接点部１７の板ばね部１９をそのばね力に抗して押圧し、板ばね部１９をスイッチ接点部１７の固定接点部１８に押し付けて接触させる。これにより、スイッチ接点部１７がスイッチ動作する。この後、第１操作部材８に対する押圧操作が解除されると、板ばね部１９のばね力によって第２操作部材９が押し出され、この第２操作部材９に連動して第１操作部材８がスライドすることにより、第１操作部材８と第２操作部材９とが初期位置に戻る。
【００５２】
ところで、この押釦スイッチ７は、図５に示すように、円形状の第２の腕時計ケース２０に、四角形状の第１の腕時計ケース１と同様に組み込むことができる。この場合には、予め、第２の腕時計ケース２０の貫通孔１０に第１操作部材８をスライド可能に取り付け、この状態で時計モジュール３を円形状の中枠２１に取り付け、この時計モジュール３を中枠２１と共に第２の腕時計ケース２０内に組み込む。
【００５３】
このときには、予め、ガイド保持部材１５の軸取付孔１５ａに第２操作部材９を取り付け、このガイド保持部材１５を中枠２１に取り付ける。この状態で、時計モジュール３を中枠２１と共に第２の腕時計ケース２０内に組み込む際に、第１操作部材８の第１軸線８ａに対して第２操作部材９の第２軸線９ａを不一致状態で配置する。
【００５４】
これにより、第２操作部材９は、その第２軸線９ａが第１操作部材８の第１軸線８ａと平行な状態で、第１操作部材８の第１軸線８ａに対して直交する方向にずれた状態で配置される。言い換えれば、第１操作部材８は、その第１軸線８ａが第２操作部材９の第２軸線９ａと平行な状態で、第２操作部材９の第２軸線９ａに対して直交する方向にずれた状態で、配置される。このため、第２操作部材９は、その外端部の平面の中心軸に対して、第１操作部材８の第１円弧部８ｂがずれた位置で当接する。
【００５５】
このように、四角形状の第１の腕時計ケース１に替えて、円形状の第２の腕時計ケース２０を用いる場合には、中枠２１を替えるだけで、押釦スイッチ７をそのまま用いて組み付けることができる。このため、時計モジュール３の共通化が図れると共に、押釦スイッチ７の共通化も図れる。
【００５６】
また、この円形状の第２の腕時計ケース２０よりも、更に小さい小径円形状の腕時計ケース（図示せず）に替える場合には、中枠４、２１を用いずに時計モジュール３を直接小径円形状の腕時計ケース内に組み込めば良い。この場合には、小径円形状の腕時計ケースの内形を時計モジュール３の外形とほぼ同じ大きさに形成し、ガイド保持部材１５および第２操作部材９を用いずに、第１操作部材８の内端部で直接時計モジュール３のスイッチ接点部１７の板ばね部１９を押圧操作するように構成すれば良い。
【００５７】
このように、この腕時計の押釦スイッチ７によれば、第１、第２の腕時計ケース１、２０に設けられて第１軸線８ａに沿ってスライドする第１操作部材８と、第１、第２の腕時計ケース１、２０内に設けられ、第１操作部材８の第１軸線８ａに対し不一致状態の第２軸線９ａに沿って、第１操作部材８と連動してスライドする第２操作部材９と、を備えていることにより、時計モジュール３の共通化を図っても、第１、第２の腕時計ケース１、２０に対する第１操作部材８の設置位置および操作方向を第１、第２の腕時計ケース１、２０の形状や大きさに応じて自由に設定することができる。
【００５８】
すなわち、この押釦スイッチ７では、第１の腕時計ケース１が四角形状に形成されていても、また第２の腕時計ケース２０が円形状に形成されていても、第１操作部材８の第１軸線８ａが第２操作部材９の第２軸線９ａに対して一致せずに、第１操作部材８の第１軸線８ａと第２操作部材９の第２軸線９ａとをずらすことができるので、時計モジュール３の共通化を図っても、第１操作部材８の設置位置および操作方向を第１、第２の腕時計ケース１、２０の形状や大きさに応じて自由に設定することができる。
【００５９】
この場合、第１操作部材８は、その第１軸線８ａが第２操作部材９の第２軸線９ａに対して直交する方向にずれていることにより、第２操作部材９が押圧する時計モジュール３のスイッチ接点部１７に対して第１操作部材８の設置位置をずらすことができる。このため、第１、第２の腕時計ケース１、２０の形状や大きさが異なっても、第１操作部材８の設置位置および操作方向を第１、第２の腕時計ケース１、２０の形状や大きさに応じて自由に設定することができる。
【００６０】
また、この押釦スイッチ７では、時計モジュール３のスイッチ接点部１７に対して、第１操作部材８の設置位置をずらしても、第１操作部材８が押圧操作された際に、第１操作部材８の押圧操作によって第２操作部材９を確実に連動させることができ、この第２操作部材９によって時計モジュール３のスイッチ接点部１７を確実に押圧してスイッチ動作させることができるので、時計モジュール３の共通化を図っても、スイッチ動作の信頼性を確保することができる。
【００６１】
また、この押釦スイッチ７では、第１、第２の腕時計ケース１、２０の各内部にそれぞれ第２操作部材９をスライド可能に保持するガイド保持部材１５を備えていることにより、このガイド保持部材１５によって第２操作部材９を第２軸線９ａに沿ってスライド可能な状態で確実にかつ良好に保持することができると共に、第１操作部材８の第１軸線８ａと第２操作部材９の第２軸線９ａとを確実にずらすことができる。
【００６２】
この場合、ガイド保持部材１５は、第２操作部材９をスライド可能に保持する軸取付孔１５ａを有しているので、この軸取付孔１５ａの中心軸１５ｂを第１操作部材８の第１軸線８ａに対してずらすことにより、第１操作部材８の第１軸線８ａと第２操作部材９の第２軸線９ａとを確実にかつ正確にずらすことができる。
【００６３】
また、この押釦スイッチ７では、第１、第２の腕時計ケース１、２０の各形状および大きさに応じて時計モジュール３を第１、第２の腕時計ケース１、２０内にそれぞれ収納し、かつガイド保持部材１５が着脱可能に取り付けられる枠状部材である中枠４、２１を備えていることにより、第１、第２の腕時計ケース１、２０の各形状および大きさが異なっていても、中枠４、２１によって共通の時計モジュール３を第１、第２の腕時計ケース１、２０内に確実にかつ良好に組み込むことができる。
【００６４】
また、この押釦スイッチ７では、第１、第２の腕時計ケース１、２０内にそれぞれ配置され、第２操作部材９のスライド動作に応じてスイッチ動作するスイッチ接点部１７を備えているので、第２操作部材９の第２軸線９ａと第１操作部材８の第１軸線８ａとを不一致状態で、相互に位置をずらして配置させることにより、スイッチ接点部１７に対して第１操作部材８の設置位置を確実にかつ良好にずらすことができる。
【００６５】
この場合、この押釦スイッチ７は、第２操作部材９の第２軸線９ａと第１操作部材８の第１軸線８ａとが不一致状態で、相互の位置がずれていても、第１操作部材８によって第２操作部材９を連動させてスライドさせることができるので、第１操作部材８が時計モジュール３のスイッチ接点部１７に対して位置がずれていても、第１操作部材８の押圧操作に応じて第２操作部材９がスイッチ接点部１７を確実にかつ良好に押圧してスイッチ動作させることができる。
【００６６】
さらに、この押釦スイッチ７では、第２操作部材９を第１、第２の腕時計ケース１、２０の各外部に向けて付勢する付勢部材である板ばね部１９を備えていることにより、第１操作部材８の押圧操作が解除された際に、板ばね部１９が弾性復帰し、その弾性復帰する際の板ばね部１９のばね力によって第２操作部材９を確実に押し出すことができると共に、この第２操作部材９によって第１操作部材８を元の位置である初期位置に確実にかつ良好に戻すことができる。
【００６７】
この場合、板ばね部１９は、時計モジュール３に設けられたスイッチ接点部１７の固定接点部１８に接離可能に接触する可動接点部であることにより、板ばね部１９を別部品として製作して組み付ける必要がないので、部品点数の削減を図ることができると共に、組立作業性の簡素化を図ることができる。
【００６８】
なお、上述した第１実施形態では、第１操作部材８の内端部が当接する第２操作部材９の外端部を平面に形成した場合について述べたが、これに限らず、例えば図６に示す変形例のように、第２操作部材９の外端部を第１操作部材８の内端部に向けて突出する第３円弧部２３に形成した構成であっても良い。
【００６９】
この場合にも、第２操作部材９は、図６に示すように、その第２軸線９ａが第１操作部材８の第１軸線８ａに対して一致せず、第１操作部材８の第１軸線８ａに対して直交する方向にずれた状態で配置されていれば良い。このため、第１操作部材８は、その内端部の第１円弧部８ｂが第２操作部材９の外端部の第３円弧部２３に当接する際に、第２操作部材９の第２軸線９ａに位置する第３円弧部２３の中心軸に対して第１操作部材８の第１円弧部８ｂがずれた位置で当接するように構成されている。
【００７０】
このような構成の押釦スイッチ７では、第１操作部材８の外端部が押圧操作されて第１操作部材８の第１円弧部８ｂが第２操作部材９の外端部の第３円弧部２３を押圧する際に、第１操作部材８の第１円弧部８ｂが第２操作部材９の第３円弧部２３を押圧するので、第２操作部材９の第２軸線９ａに位置する第３円弧部２３の中心軸に対して第１操作部材８の第１円弧部８ｂがずれた位置で当接していても、第１操作部材８の第１円弧部８ｂが第２操作部材９の第３円弧部２３を押圧して円滑にかつ良好にスライドさせることができる。
【００７１】
すなわち、第２操作部材９の第２軸線９ａに位置する第３円弧部２３の中心軸に対して第１操作部材８の第１円弧部８ｂがずれた位置で当接した状態で、第１操作部材８の第１円弧部８ｂが第２操作部材９の第３円弧部２３を押圧するので、第１操作部材８の第１軸線８ａと第２操作部材９の第２軸線９ａとの位置ずれによって生じるモーメントを、第１実施形態の場合よりも軽減することができ、これにより第１操作部材８によって第２操作部材９を円滑にかつ良好にスライドさせることができる。
【００７２】
このため、この押釦スイッチ７においても、第１操作部材８の第１軸線８ａが第２操作部材９の第２軸線９ａと平行な状態で、第２操作部材９の第２軸線９ａに対して直交する方向にずれた状態で、第１操作部材８を配置することができるので、上述した第１実施形態と同様、第２操作部材９が押圧する時計モジュール３のスイッチ接点部１７に対して第１操作部材８の設置位置をずらすことができ、これにより時計モジュール３の共通化を図っても、第１操作部材８の設置位置および操作方向を第１、第２の腕時計ケース１、２０の形状や大きさに応じて自由に設定することができる。
【００７３】
（第２実施形態）
次に、図７を参照して、この発明を腕時計に適用した第２実施形態について説明する。なお、図１〜図５に示された第１実施形態と同一部分には同一符号を付して説明する。
この腕時計の押釦スイッチ７は、図７に示すように、第１操作部材８の第１軸線８ａを第２操作部材９の第２軸線９ａに対して交差する方向に傾けた構成であり、これ以外は第１実施形態とほぼ同じ構成になっている。
【００７４】
この場合、第２操作部材９は、図７に示すように、時計モジュール３のスイッチ接点部１７に対応する位置にガイド保持部材１５によってスライド可能に配置されている。これにより、第２操作部材９は、その内端部の第２円弧部９ｂがスイッチ接点部１７の板ばね部１９を押圧してスイッチ接点部１７の固定接点部１８に接触させるように構成されている。また、この第２操作部材９の外端部は、第２実施形態と同様、第１操作部材８に向けて突出する第３円弧部２３に形成されている。
【００７５】
第１操作部材８は、図７に示すように、第２操作部材９の第２軸線９ａに対して交差する方向に傾いた状態で、第２操作部材９の第３円弧部２３の中心軸からずれた位置で当接するように構成されている。すなわち、この第１操作部材８は、第１、第２の腕時計ケース１、２０の面方向、つまり時計ガラス２の面方向において、第２操作部材９の第２軸線９ａに対して交差する方向に傾いた状態で配置されている。
【００７６】
このため、この第１操作部材８は、図７に示すように、第１、第２の腕時計ケース１、２０の３時側に位置するスイッチ装置６から第１、第２の腕時計ケース１、２０の６時側に向けて離れた位置に配置されるように構成されている。この場合にも、第１、第２の腕時計ケース１、２０には、貫通孔１０が第１操作部材８の第１軸線８ａと同じ傾斜角度で設けられており、この貫通孔１０には筒状部材１１が嵌め込まれて固定されている。この筒状部材１１内には、第１操作部材８がスライド可能に取り付けられている。
【００７７】
これにより、第１操作部材８は、図７に示すように、その外端部が押圧操作されると、筒状部材１１内をスライドして、第１操作部材８の内端部の第１円弧部８ｂが第２操作部材９の外端部の第３円弧部２３を斜め方向から押圧し、これにより第２操作部材９が第１操作部材８に連動してスライドし、第２操作部材９の内端部の第２円弧部９ｂがスイッチ接点部１７の板ばね部１９を押圧してスイッチ接点部１７をスイッチ動作させるように構成されている。
【００７８】
このような押釦スイッチ７によれば、第１操作部材８の第１軸線８ａが第２操作部材９の第２軸線９ａに対して交差する方向に傾いた状態で、第１操作部材８がスライド可能に配置されているので、第１操作部材８を第１、第２の腕時計ケース１、２０に設置する際に、その設置位置および操作方向を、第１実施形態の場合よりも、時計モジュール３のスイッチ接点部１７に対して大きく変更することができ、これにより第１操作部材８の設置位置および操作方向を第１、第２の腕時計ケース１、２０の形状や大きさに応じて自由に設定することができる。
【００７９】
この場合、第１操作部材８は、その第１軸線８ａが第２操作部材９の第２軸線９ａに対して交差する方向に傾いた状態で、さらに第２操作部材９の第３円弧部２３の中心軸からずれた位置で当接するように構成されていることにより、第１操作部材８の設置位置および操作方向を、より一層、大きく変更することができる。
【００８０】
なお、上述した第１、第２の実施形態およびその変形例では、時計モジュール３を第１、第２の腕時計ケース１、２０内に収納するための中枠４、２１に、第２操作部材９をスライド可能に保持するガイド保持部材１５を取り付けた場合についいて述べたが、これに限らず、例えば中枠４、２１に第２操作部材９がスライド可能に挿入する軸取付孔１５ａを設ければ、必ずしもガイド保持部材１５を設ける必要はない。
【００８１】
また、上述した第１、第２の実施形態およびその変形例では、第２操作部材９を第１、第２の腕時計ケース１、２９の外部に向けて付勢する付勢部材として、スイッチ接点部１７の板ばね部１９を用いた場合について述べたが、これに限らず、コイルばねなどのばね部材を別に設けた構成であっても良い。
【００８２】
さらに、上述した第１、第２の実施形態およびその変形例では、腕時計に適用した場合について述べたが、必ずしも腕時計である必要はなく、例えばトラベルウオッチ、目覚まし時計、置き時計、掛け時計などの各種の時計に適用することができる。また、必ずしも時計に限らず、例えば、携帯電話機、携帯情報端末機などの各種の電子機器にも広く適用することができる。
【００８３】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００８４】
（付記）
請求項１に記載の発明は、ケースと、前記ケースに設けられ、第１軸線に沿ってスライドする第１操作部材と、前記ケースの内部に設けられ、前記第１操作部材の前記第１軸線に対して不一致状態の第２軸線に沿って、前記第１操作部材と連動してスライドする第２操作部材と、を備えていることを特徴とする押釦装置である。
【００８５】
請求項２に記載の発明は、請求項１に記載の押釦装置において、前記第１操作部材は、前記第１軸線が前記第２操作部材の前記第２軸線に対して直交する方向にずれていることを特徴とする押釦装置である。
【００８６】
請求項３に記載の発明は、請求項１に記載の押釦装置において、前記第１操作部材は、前記第１軸線が前記第２操作部材の前記第２軸線に対して交差する方向に傾いていることを特徴とする押釦装置である。
【００８７】
請求項４に記載の発明は、請求項１〜請求項３のいずれかに記載の押釦装置において、前記ケース内に配置され、前記第２操作部材をスライド可能に保持するガイド保持部材を備えていることを特徴とする押釦装置である。
【００８８】
請求項５に記載の発明は、請求項４に記載の押釦装置において、前記ケースの形状および大きさに応じてモジュールを前記ケース内に収納し、かつ前記ガイド保持部材が取り付けられる枠状部材を備えていることを特徴とする押釦装置である。
【００８９】
請求項６に記載の発明は、請求項１〜請求項５のいずれかに記載の押釦装置において、前記第２操作部材のスライド動作に応じてスイッチ動作するスイッチ部を備えていることを特徴とする押釦装置である。
【００９０】
請求項７に記載の発明は、請求項１〜請求項６のいずれかに記載の押釦装置において、前記第２操作部材を前記ケースの外部に向けて付勢する付勢部材を備えていることを特徴とする押釦装置である。
【００９１】
請求項８に記載の発明は、請求項１〜請求項７のいずれかに記載された押釦装置を備えていることを特徴とする時計である。
【符号の説明】
【００９２】
１、２０  第１、第２の腕時計ケース
３  時計モジュール
４、２１  中枠
７  押釦スイッチ
８  第１操作部材
８ａ  第１軸線
８ｂ  第１円弧部
９  第２操作部材
９ａ  第２軸線
９ｂ  第２円弧部
１０  貫通孔
１１  筒状部材
１３  第１抜止め部材
１５  ガイド保持部材
１５ａ  軸取付孔
１６  第２抜止め部
１７  スイッチ接点部
１８  固定接点部
１９  板ばね部
２３  第３円弧部
【図１】
2016176841.tif 000003
【図２】
2016176841.tif 000004
【図３】
2016176841.tif 000005
【図４】
2016176841.tif 000006
【図５】
2016176841.tif 000007
【図６】
2016176841.tif 000008
【図７】
2016176841.tif 000009